(57)【要約】【課題】  金属製雄ネジ部材をインサート成形する際の型内へのセットが容易で且つケースの強度も向上した水道メータを提供する。【解決手段】    属製雄ネジ部材２１、２２は帯状金属部２３により一体となっており、１つの補強部材として機能する。また金属製雄ネジ部材２１、２２を金型にセットしてインサート成形する際に、帯状金属部２３によって一体化されているので、位置決めが容易に行える。【選択図】  図２
2019100865.tif 000002
【特許請求の範囲】
【請求項１】
樹脂製ケースの流入部と流出部に配管を接続するためのネジ部材をインサート成形してなる水道メータにおいて、前記２つのネジ部材は前記樹脂製ケースの下面にケース本体とインサート成形される帯状金属によって一体的に連結していることを特徴とする水道メータ。
【請求項２】
請求項１に記載の水道メータにおいて、前記ケースの材料はポリアクリロニトリル（ＰＡＮ)系の炭素繊維で補強されたポリアセタール（ＰＯＭ）、ポリアミド（ＰＡ）、ポリカーボネイト（ＰＣ）、変性ポリフェニレンエーテル（ｍ-ＰＰＥ）、ポリブチレンテレフタレート（ＰＢＴ）、ポリフェニリンサルファイド（ＰＰＳ）の何れかであることを特徴とする水道メータ。
【発明の詳細な説明】
【技術分野】
【０００１】
本発明は、通過する水量を測定（推測）表示する水道メータに関する。
【背景技術】
【０００２】
一般的な水道メータは、羽根車の回転を機械式に積算して通過水の水量を計測するタイプのものであり、このような水道メータとして耐食性、軽量化などのためケースを樹脂製としたものがあり、樹脂製としたことによる強度補強として金属部材をインサート成形した先行技術として特許文献１〜特許文献３がある。
【０００３】
特許文献１に開示される樹脂製水道メータは、ケースの中央部を有底円筒状の測定管部分とし、左右に導入管部分と排出管部分を形成し、これら導入管部分と排出管部分の端部に配管と接続するための雄ネジを形成し、この雄ネジ部の内側（内径側）に金属円筒をインサート成形して、樹脂製雄ネジ部の補強を行っている。
【０００４】
特許文献２には、アウターケース内側にインナーケースを配置した複箱式の水道メータが開示され、インナーケース内に羽根車を収納している。そして、インナーケースは、羽根車のピボット軸がインナーケースの内底部の中心部に直立するように、インサート成形により一体として形成されている。
【０００５】
特許文献３には流量制御弁が開示され、この流量制御弁には雄ネジ部材と雌ネジ部材とが螺合することによって、雄ネジ部材と雌ネジ部材との相対的な回転角度を規制するネジ送り機構が組み込まれ、ネジ部材はインサート成形によってネジブッシュとガイド部材とを一体化することが開示されている。
【先行技術文献】
【特許文献】
【０００６】
【特許文献１】特開２０１０−１１２８８５号公報
【特許文献２】特開２０１５−１３５３０７号公報
【特許文献３】特開２０１３−１３９１３７号公報
【発明の概要】
【発明が解決しようとする課題】
【０００７】
水道メータを設置するには水道メータと給水管（配管）とを接続する。一方、水道メータの設置個所は必ずしも作業性がよいとは限らず無理な力が接続部にかかることがあるため、ネジ部を金属製とするのが好ましい。
【０００８】
ネジ部を金属製としケースを樹脂製とするには、インサート成形によるのが簡単である。しかしながら、水道メータにあっては左右にネジ部があるため、型内に金属製ネジ部をセットする手間がかかる。
【０００９】
また、ネジ部以外のケースは樹脂製のためケース厚みを薄くすると強度的に不足する部分がでてくる。
【課題を解決するための手段】
【００１０】
上記の問題点、即ち左右の金属製ネジ部のインサート成形の際のセット（位置決め）を簡単に行え、且つ強度アップも図ることを目的として本願発明はなされた。即ち、本発明に係る水道メータは、樹脂製ケースの流入部と流出部に配管を接続するためのネジ部材をインサート成形してなる水道メータであって、前記２つのネジ部材は前記樹脂製ケースの下面にケース本体とインサート成形される帯状金属によって一体的に連結した構造である。
【００１１】
前記ケースの材料としては、例えば、ポリアクリロニトリル（ＰＡＮ)系の炭素繊維で補強されたポリアセタール（ＰＯＭ）、ポリアミド（ＰＡ）、ポリカーボネイト（ＰＣ）、変性ポリフェニレンエーテル（ｍ-ＰＰＥ）、ポリブチレンテレフタレート（ＰＢＴ）、ポリフェニリンサルファイド（ＰＰＳ）が考えられる。
【発明の効果】
【００１２】
本発明によれば、金属製ネジ部をインサート成形で樹脂部と一体成形する際に、成形型への金属製ネジ部のセットは左右のネジ部が一体化しているので１つの部材をセットするのと同じでセットが楽に行える。
【００１３】
また、左右のネジ部が帯状金属部で連続しているため、ケース全体の強度アップにつながる。
【図面の簡単な説明】
【００１４】
【図１】本発明に係る水道メータの分解図
【図２】同水道メータの表示部の平線図
【図３】金属製ネジ部材の断面図
【図４】金属製ネジ部材の別実施例の断面図
【図５】本発明に係る水道メータの底面図
【図６】本発明に係る水道メータの側面図
【発明を実施するための形態】
【００１５】
図示例では複箱式の水道メータを示しており、水道メータは上メンバ１と下メンバ２が着脱自在とされ、下メンバ２はアウターケース３とインナーケース４から構成され、これらケースはポリアクリロニトリル（ＰＡＮ)系の炭素繊維で補強されたポリアセタール（ＰＯＭ）、ポリアミド（ＰＡ）、ポリカーボネイト（ＰＣ）、変性ポリフェニレンエーテル（ｍ-ＰＰＥ）、ポリブチレンテレフタレート（ＰＢＴ）、ポリフェニリンサルファイド（ＰＰＳ）などのエンジニアリングプラスチックなどの強度的に優れた樹脂を射出成形することで得ている。
【００１６】
アウターケース３には流入口５及び流出口６が形成され、流入口５には絞り部７を設けて通過水の速度を上げるようにしている。
【００１７】
アウターケース３内に配置されるインナーケース４は内部に羽根車８を収納している。インナーケース４の外周には斜めにリング部９が突出し、このリング部先端に設けたシール部材１０によって流入部と流出部に分けられ、流入部のインナーケース４の周壁には流入ノズル１１が形成され、流出部のインナーケース４の周壁には流出ノズル１２が形成されている。
【００１８】
前記流入ノズル１１は流路の軸線の延長線を羽根車８の回転中心からオフセットされ、同様に流出ノズル１２の軸線も羽根車８の回転中心からオフセットされ、このように流入ノズル１１及び流出ノズル１２を羽根車８の回転中心からオフセットすることにより羽根車８は一方向のみに回転する。
【００１９】
羽根車８の軸１３の上端には駆動マグネット１４を取付け、この駆動マグネット１４を含んで、インナーケース４の上面は仕切板１５で覆われ、この仕切板１５は更に内側アウターケース３上面開口も塞いでいる。その結果、流入ノズル１１から流入した水は上メンバ１内に入らず全て流入ノズル１１を介してインナーケース４内に入り、羽根車８を回転させた後に、インナーケース４の流出ノズル１２及びアウターケース２の流出口６を介して蛇口に至る。
【００２０】
上メンバ１には表示部１６が設けられている。この表示部１６はガラスケース１７内にドラム式表示部材（数字車）１８や回転指標１８ａ及びデジタル式表示部材（指針）１８ｂを備え、また表示部１６の底部には前記駆動マグネット１４と一体的に回転する従動マグネット１９が設けられ、通過水によって羽根車８の軸端に取付けられた駆動マグなネット１４が回転すると、これにつれて従動マグネット１９も回転する。従動マグネット１９の回転はギヤ列２０を介してドラム式表示部材１８、回転指標１８ａ及びデジタル式表示部材１８ｂに伝達される。
【００２１】
前記流入口５の外周部には金属製雄ネジ部材２１が設けられ、この金属製雄ネジ部材２１に流入側配管３１をナット部材３２で接続する。また前記流出口６の外周部には金属製雄ネジ部材２２が設けられ、この金属製雄ネジ部材２２に流出側配管３３をナット部材３４で接続する。
【００２２】
前記金属製雄ネジ部材２１、２２はブリッジとして機能する帯状金属部２３により一体となっており、１つの補強部材として機能する。また金属製雄ネジ部材２１、２２を金型にセットしてインサート成形する際に、帯状金属部２３によって一体化されているので、位置決めが容易に行える。また、金属製雄ネジ部材２１の内側にはストレーナ２４が取付けられている。
【００２３】
また、帯状金属部２３はアウターケース３の底面にインサート成形されるため、アウターケース３の強度が向上し、アウターケース３の底部肉厚を薄くして、軽量化を図ることができる。
【００２４】
金属製雄ネジ部材２１、２２の形状としては、図２に示すような単純な円筒状でもよいが、図３に示すように、流入口５及び流出口６の端部内周面を金属製とするように、金属製雄ネジ部材２１、２２の端部の肉厚を厚くしてもよい。このように端部の肉厚を厚くすることで、無理な力がかかりやすい流入口５及び流出口６の端部の強度をアップすることができる。  
【００２５】
実施例にあっては帯状金属部を単純な直線状としたが、アウターケース底面に合わせて、中央部を円形などにすることも考えられる。
【産業上の利用可能性】
【００２６】
実施例ではアウターケース内にインナーケースを配置した福箱式を示したが、ケースを1つとした単箱式にも本発明は適用できる。
【符号の説明】
【００２７】
１…上メンバ、２…下メンバ、３…アウターケース、４…インナーケース、５…流入口、６…流出口、７…絞り部、８…羽根車、９…リング部、１０…シール部材、１１…流入ノズル、１２…流出ノズル、１３…羽根車の軸、１４…駆動マグネット、１５…仕切板、１６…表示部、１７…ガラスケース、１８…ドラム式表示部材（数字車）、１８ａ…回転指標、１８ｂ…指針、１９…従動マグネット、２０…ギヤ列、２１、２２…金属製雄ネジ部材、２３…帯状部、２４…ストレーナ、３１…流入側配管、３２、３４…ナット部材、３３…流出側配管。
【図１】
2019100865.tif 000003
【図２】
2019100865.tif 000004
【図３】
2019100865.tif 000005
【図４】
2019100865.tif 000006
【図５】
2019100865.tif 000007
【図６】
2019100865.tif 000008
【手続補正書】
【提出日】平成30年3月22日(2018.3.22)
【手続補正１】
【補正対象書類名】明細書
【補正対象項目名】００２４
【補正方法】変更
【補正の内容】
【００２４】
金属製雄ネジ部材２１、２２の形状としては、図３に示すような単純な円筒状でもよいが、図４に示すように、流入口５及び流出口６の端部内周面を金属製とするように、金属製雄ネジ部材２１、２２の端部の肉厚を厚くしてもよい。このように端部の肉厚を厚くすることで、無理な力がかかりやすい流入口５及び流出口６の端部の強度をアップすることができる。
【手続補正２】
【補正対象書類名】図面
【補正対象項目名】図１
【補正方法】変更
【補正の内容】
【図１】
2019100865.tif 000009